(57)【要約】【課題】不良カードや、処理途中でジャミングしたカードや、停電等の理由で発行装置内に停滞したカードに対して不正作成を防いだり、未発行カードが正常カードに混入することを防ぐことを可能にした携帯可能な記憶媒体の処理装置を提供する。【解決手段】ＩＣカード保管部１３からＩＣカード１２をＩＣカード供給部１４でピックアップし、そのＩＣカードに対してエンコード部１５でデータを入力する。更にエンコードの良否をチエック部１６でエンコードの良否を判断する。エンコードの良否を判断した結果、チエック部１６でエンコードエラーを検出し、エンコードエラーが発生した場合には、その不良カードは孔あけ加工手段である孔あけ部２０で穿孔され、その後、不良品収納部１７へ収納される。正常なカードは、印字ユニット１８に搬送され、有効期限等が印字された後に排出部１９に排出する。【選択図】図３
2014092968.tif 000002
【特許請求の範囲】
【請求項１】
記憶部を有する携帯可能な記憶媒体の処理装置であって、
エンコード手段と、チエック手段と、孔あけ加工手段と、異常時搬送制御手段と、不良品収納部と、を備え、
前記エンコード手段は、前記記憶媒体にデータをエンコードする手段であって、
前記チエック手段は、前記記憶媒体のエンコードの良、不良の判断を行う手段であって、
孔あけ加工手段は、不良と判断された記憶媒体や処理途中で処理装置内に停滞した記憶媒体の記憶部に穿孔処理を行う手段であって、
前記異常時搬送制御手段は、異常時に処理途中で処理装置内に停滞した記憶媒体を孔あけ加工手段に搬送する手段であって、
前記孔あけ加工手段によって穿孔された記憶媒体を不良品収納部に排出することを特徴とする携帯可能な記憶媒体の発行処理装置。
【請求項２】
前記記憶部はＩＣチップまたは磁気ストライプまたはその両方であることを特徴とする請求項１に記載の携帯可能な記憶媒体の発行処理装置。
【請求項３】
前記記憶部がＩＣチップであって、穿孔される孔は直径５ｍｍ以上であることを特徴とする請求項１または２に記載の携帯可能な記憶媒体の発行処理装置。
【請求項４】
前記直径５ｍｍ以上の孔を、記憶媒体の左短辺から１０〜２０ｍｍ、上長辺から１５〜３０ｍｍの範囲に１つ以上、右短辺から１０〜２０ｍｍ、上長辺から１５〜３０ｍｍの範囲に１つ以上穿孔することを特徴とする請求項１から３のいずれかに記載の携帯可能な記憶媒体の発行処理装置。
【請求項５】
前記直径５ｍｍ以上の孔を、記憶媒体の左短辺から１０〜２０ｍｍ、上長辺から１５〜３０ｍｍの範囲に１つ以上、右短辺から１０〜２０ｍｍ、上長辺から１５〜３０ｍｍの範囲に１つ以上、更に左短辺から１０〜２０ｍｍ、下長辺から１５〜３０ｍｍの範囲に１つ以上、右短辺から１０〜２０ｍｍ、下長辺から１５〜３０ｍｍの範囲に１つ以上穿孔することを特徴とする請求項１から３のいずれかに記載の携帯可能な記憶媒体の発行処理装置。
【請求項６】
前記記憶部が磁気ストライプであって、前記直径５ｍｍ以上の孔を記憶媒体の上長辺から５．５〜１５ｍｍの範囲に１つ以上、下長辺から５．５〜１５ｍｍの範囲に１つ以上穿孔することを特徴とする請求項１または２に記載の携帯可能な記憶媒体の発行処理装置。
【発明の詳細な説明】
【技術分野】
【０００１】
この発明は、ＩＣチップを備えたＩＣカードの発行処理に用いるＩＣカード処理装置に関するもので、更に詳しくはＩＣカードの発行処理を行う際に発生する不良ＩＣカードを使用不可能な状態として、かつ、確実に不良カード排出部に排出する処理装置に関するものである。
【背景技術】
【０００２】
上記ＩＣカードは例えばキャッシュカードや社員証、学生証等の個人の身分を証明するものに用いられ、このようなＩＣカードには、ＩＣチップが備えられている。また、ＩＣチップのほかに磁気テープが貼られていることが多い。
【先行技術文献】
【特許文献】
【０００３】
【特許文献１】特開昭６３−５６７７１号公報
【特許文献２】特開２０００−２０６６９号公報
【発明の概要】
【発明が解決しようとする課題】
【０００４】
ところで、従来、上記ＩＣカードを発行する際には、即時発行装置を用いて個別情報や有効期限等の設定データを書き込む処理を行っている。図１は、一般的に用いられている即時発行装置の一例を示す図である。即時発行装置１では、これから発行されるカード２は、カードを保管するカード保管庫３からカード供給部４に搬送される。次にＩＣまたは磁気エンコード部５でクレジットカードの磁気ストライプやＩＣチップに会員番号、有効期限、クレジットカード発行会社のコードなどのデータが入力される。この場合、エンコードチエック部６でエンコードエラーを検出し、エンコードエラーが発生した場合には、その不良カードは不良カード格納部７へ格納される。正常なカードは、次に印字ユニット８に搬送され、有効期限等が印字された後に排出部９に排出される。
【０００５】
しかしながら、上記即時発行装置では、不良カード格納部へ格納された不良カードを悪意を持ったものが抜き取ってカードの不正作成を行ったり、外部流出をしてしまう問題があった。また、即時発行装置で発行処理を行っている最中に、その処理途中でカードが搬送詰まり（ジャミング）を起こしたり、また停電等のトラブルによって発行装置そのものが停止してしまうことが、極まれであるが発生することがある。この場合は、例えばエンコードチエックがなされないままの未発行カードが正常カードと混じって排出されたり、また上記と同じようにジャミングしたカードが抜き取られて不正作成されるといった問題があった。
【０００６】
そこで、本発明は上記問題に鑑みて不良カードや、処理途中でジャミングしたカードや、停電等の理由で発行装置内に停滞したカードに対して不正作成を防いだり、未発行カードが正常カードに混入することを防ぐことを可能にした携帯可能な記憶媒体の処理装置を提供することを目的とする。
【課題を解決するための手段】
【０００７】
課題を解決するための手段として、請求項１に記載の発明は、記憶部を有する携帯可能な記憶媒体の処理装置であって、
エンコード手段と、チエック手段と、孔あけ加工手段と、異常時搬送制御手段と、不良品収納部と、を備え、
前記エンコード手段は、前記記憶媒体にデータをエンコードする手段であって、
前記チエック手段は、前記記憶媒体のエンコードの良、不良の判断を行う手段であって、
孔あけ加工手段は、不良と判断された記憶媒体や処理途中で処理装置内に停滞した記憶媒体の記憶部に穿孔処理を行う手段であって、
前記異常時搬送制御手段は、異常時に処理途中で処理装置内に停滞した記憶媒体を孔あけ加工手段に搬送する手段であって、
前記孔あけ加工手段によって穿孔された記憶媒体を不良品収納部に排出することを特徴とする携帯可能な記憶媒体の発行処理装置である。
【０００８】
請求項２に記載の発明は、前記記憶部はＩＣチップまたは磁気ストライプまたはその両方であることを特徴とする請求項１に記載の携帯可能な記憶媒体の発行処理装置である。
【０００９】
請求項３に記載の発明は、前記記憶部がＩＣチップであって、穿孔される孔は直径５ｍｍ以上であることを特徴とする請求項１または２に記載の携帯可能な記憶媒体の発行処理装置である。
【００１０】
請求項４に記載の発明は、前記直径５ｍｍ以上の孔を、記憶媒体の左短辺から１０〜２０ｍｍ、上長辺から１５〜３０ｍｍの範囲に１つ以上、右短辺から１０〜２０ｍｍ、上長辺から１５〜３０ｍｍの範囲に１つ以上穿孔することを特徴とする請求項１から３のいずれかに記載の携帯可能な記憶媒体の発行処理装置である。
【００１１】
請求項５に記載の発明は、前記直径５ｍｍ以上の孔を、記憶媒体の左短辺から１０〜２０ｍｍ、上長辺から１５〜３０ｍｍの範囲に１つ以上、右短辺から１０〜２０ｍｍ、上長辺から１５〜３０ｍｍの範囲に１つ以上、更に左短辺から１０〜２０ｍｍ、下長辺から１５〜３０ｍｍの範囲に１つ以上、右短辺から１０〜２０ｍｍ、下長辺から１５〜３０ｍｍの範囲に１つ以上穿孔することを特徴とする請求項１から３のいずれかに記載の携帯可能な記憶媒体の発行処理装置である。
【００１２】
請求項６に記載の発明は、前記記憶部が磁気ストライプであって、前記直径５ｍｍ以上の孔を記憶媒体の上長辺から５．５〜１５ｍｍの範囲に１つ以上、下長辺から５．５〜１５ｍｍの範囲に１つ以上穿孔することを特徴とする請求項１または２に記載の携帯可能な記憶媒体の発行処理装置である。
【発明の効果】
【００１３】
本発明の携帯可能な記憶媒体の発行処理装置によれば、カード発行時におけるカードの不正作成や、良品カードに未発行処理カードが混入することを防ぐことが出来る。
【図面の簡単な説明】
【００１４】
【図１】一般的に用いられている即時発行装置の一例を示す図。
【図２】本発明の携帯可能な記憶媒体の発行処理装置に適用される記憶媒体を示す図で、ＩＣチップと磁気テープの両方を有するＩＣカードを例として示す図。（ａ）は表面を示す。（ｂ）は裏面を示す。
【図３】本発明の携帯可能な記憶媒体の発行処理装置の概略構成を示す図。
【図４】本発明に係る穿孔範囲を示すＩＣカードの例を示す図。
【図５】本発明に係る穿孔範囲を示すＩＣカードの例を示す図。
【図６】本発明に係る穿孔範囲を示すＩＣカードの例を示す図。
【発明を実施するための形態】
【００１５】
以下、図面を用いて本発明を実施する形態を詳細に説明する。
【００１６】
図２は本発明の携帯可能な記憶媒体の発行処理装置（以下、携帯可能な記憶媒体の発行処理装置を、単に処理装置と記す）に適用される記憶媒体を示す図で、ＩＣチップと磁気テープの両方を有するＩＣカードを例として説明する。
【００１７】
図２（ａ）は記憶媒体の表面を示す図で、図２（ｂ）は裏面を示す図である。図２（ａ）に示されるＩＣカードの表面には外部機器と接続するためのＩＣチップの８つの接触端子が設けられており、その８つの接触端子の外形は図で示される位置に規格されている。また裏面に設けられている磁気ストライプはカードの端から５．６６ｍｍ離れた位置にあり、幅は９．５２ｍｍと規格されている（ＩＳＯ／ＩＥＣ  ７８１６）。また、磁気ストライプはダブルストライプの場合もある。
【００１８】
図３は本発明の処理装置の概略構成を示す図である。図中、実線及び破線の矢印は、ＩＣカードの搬送方向を示す。本発明の処理装置１１は、装置内部に設けられたＩＣカード保管部１３からＩＣカード１２をＩＣカード供給部１４でピックアップし、そのＩＣカードに対してエンコード手段であるエンコード部１５でデータを入力する。更にエンコードの良否をチエックする手段であるチエック部１６でエンコードの良否を判断する。エンコードの良否を判断した結果、チエック部１６でエンコードエラーを検出し、エンコードエラーが発生した場合には、その不良カードは孔あけ加工手段である孔あけ部２０で穿孔され、その後、不良品収納部１７へ収納される。正常なカードは、印字ユニット１８に搬送され、有効期限等が印字された後に排出部１９に排出され、発行処理が終了する。
【００１９】
また、本発明の処理装置は異常時搬送制御手段を備えている。異常時とはこの場合、処理装置で発行処理を行っている最中に、その処理途中でカードがジャミングを起こしたり、また停電等のトラブルによって処理装置そのものが停止してカードが処理装置内で停滞してしまう場合を指す。この場合には、本発明の処理装置では、異常時の搬送制御手段によって、ジャミングしたり停滞したカードを、孔あけ部２０まで搬送し、その後孔あけ部２０で穿孔する。即ち、図中、実線で示した搬送路にあるＩＣカードは上記異常時搬送制御手段によって、孔あけ部２０まで搬送され穿孔される。このようにして異常時から復帰する（これを、イニシャライズと称す）際には、処理装置の搬送路内のＩＣカードは穿孔されその後、不良品収納部１７へ収納されるために、カードの不正作成を防ぐことが出来る。
【００２０】
本発明の処理装置では孔あけ部２０によって決められた範囲に複数の孔が穿孔される。図４から図６は上記穿孔範囲を示すＩＣカードの例を示す図である。
【００２１】
図４に示されるＩＣカードは、直径５ｍｍ以上の孔を、記憶媒体（この場合はＩＣカード２１を指す）の左短辺から１０〜２０ｍｍ、上長辺から１５〜３０ｍｍの範囲に１つ以上、右短辺から１０〜２０ｍｍ、上長辺から１５〜３０ｍｍの範囲に１つ以上穿孔された場合を示す。尚、図４の場合は各範囲に１つ穿孔したことを示す。このような範囲に穿孔することによって、ＩＣカード２１に備えられたＩＣチップ２２を孔２３によって確実に破壊することが出来る。また孔２４によって、ＩＣカード２１が左右方向に反転した場合にもＩＣチップ２２を確実に破壊することが出来る。
【００２２】
図５に示されるＩＣカードは、直径５ｍｍ以上の孔を、ＩＣカード２１の左短辺から１０〜２０ｍｍ、上長辺から１５〜３０ｍｍの範囲に１つ以上、右短辺から１０〜２０ｍｍ、上長辺から１５〜３０ｍｍの範囲に１つ以上、更に左短辺から１０〜２０ｍｍ、下長辺から１５〜３０ｍｍの範囲に１つ以上、右短辺から１０〜２０ｍｍ、下長辺から１５〜３０ｍｍの範囲に１つ以上穿孔された場合を示す。尚、図５の場合は各範囲に１つ穿孔した
ことを示す。このような範囲に穿孔することによって、ＩＣカード２１に備えられたＩＣチップ２２を孔２３によって確実に破壊することが出来る。また孔２４によって、ＩＣカード２１が左右方向に反転した場合にもＩＣチップ２２を確実に破壊することが出来る。更に孔２５によってＩＣカード２１が上下方向に反転した場合や、孔２６によってＩＣカード２１が上下方向及び左右方向に反転した場合にもＩＣチップ２２を確実に破壊することが出来る。
【００２３】
図６に示されるＩＣカードは、直径５ｍｍ以上の孔を、ＩＣカード２１の上長辺から５．５〜１５ｍｍの範囲に１つ以上、下長辺から５．５〜１５ｍｍの範囲に１つ以上穿孔された場合を示す。尚、図６の場合は各範囲に２つ穿孔したことを示す。このような範囲に穿孔することによって、ＩＣカード２１に備えられた磁気テープ３２を孔３３、３４によって確実に破壊することが出来る。また孔３５、３６によってカード２１が上下方向に反転した場合にも磁気テープ３２を確実に破壊することが出来る。尚
ＩＣカード２１が磁気テープ３２及び磁気テープ３２ａのいわゆるダブルストライプを備えた場合であっても孔３５、３６によって磁気テープを確実に破壊することが出来る。
【００２４】
このように図４から図６に示す範囲に直径５ｍｍ以上の孔を穿孔することによって、ＩＣチップ２２や磁気テープ３２（ダブルストライプの場合は、更に磁気テープ３２ａ）の機能を破壊することが出来、その結果、不正作成を防ぐことが出来る。
【００２５】
また、上記のように異常時搬送制御手段によって、ジャミングしたり停電時等に処理装置内に停滞したカードを、孔あけ部２０まで搬送し穿孔した後、不良品収納部１７へ収納するために、カードの不正作成や、また良品カードに未発行処理カードが混入することを防ぐことが出来る。
【００２６】
このように本発明による携帯可能な記憶媒体の発行処理装置によれば、カード発行時におけるカードの不正作成や、良品カードに未発行処理カードが混入することを防ぐことが出来る。
【符号の説明】
【００２７】
１・・・即時発行装置
２・・・カード
３・・・カード保管庫
４・・・カード供給部
５・・・ＩＣまたは磁気エンコード部
６・・・エンコードチエック部
７・・・不良カード格納部
８・・・印字ユニット
９・・・排出部
１１・・・処理装置
１２・・・ＩＣカード
１３・・・ＩＣカード保管部
１４・・・ＩＣカード供給部
１５・・・エンコード部
１６・・・チエック部
１７・・・不良品収納部
１８・・・印字ユニット
１９・・・排出部
２０・・・孔あけ部
２１・・・ＩＣカード
２２・・・ＩＣチップ
２３、２４、２５、２６・・・ＩＣチップを破壊する孔
３２、３２ａ・・・磁気テープ
３３、３４、３５、３６・・・磁気テープを破壊する孔
【図１】
2014092968.tif 000003
【図２】
2014092968.tif 000004
【図３】
2014092968.tif 000005
【図４】
2014092968.tif 000006
【図５】
2014092968.tif 000007
【図６】
2014092968.tif 000008